【手続補正書】
【提出日】平成19年8月30日(2007.8.30)
【手続補正１】
【補正対象書類名】特許請求の範囲
【補正対象項目名】全文
【補正方法】変更
【補正の内容】
【特許請求の範囲】
【請求項１】
画像ディスプレイを提供するように制御可能であるディスプレイ装置と、少なくとも１つの液晶層を有する第１の液晶装置とを備えたディスプレイであって、
該液晶層の分子は、第１の視野角範囲を提供する第１の状態と、第１の視野角範囲内にあり、かつ、第１の視野角範囲よりも狭い視野角範囲である第２の視野角範囲を提供する第２の状態との間で切替え可能であり、該第１の液晶装置は、該液晶分子が該第２の状態にあるとき、該第２の視野角範囲外の該第１の視野角範囲部分に伝播する光を少なくとも部分的に遮断するよう構成されており、該液晶層のそれぞれは少なくとも１つの配向表面と接触しており、
該液晶層のそれぞれの配向表面は、均一なパターン化されていない配向表面を備えることを特徴とする、ディスプレイ。
【請求項２】
前記第１の液晶装置は、少なくとも１つの線形偏光板を備えることを特徴とする、請求項１に記載のディスプレイ。
【請求項３】
前記液晶層のそれぞれは、ネマチック液晶を備えることを特徴とする、請求項２に記載のディスプレイ。
【請求項４】
前記液晶層のそれぞれは、非ツイストネマチックモード、ツイストネマチックモード、スーパーツイストネマチックモード、垂直配向ネマチックモード、垂直配向ツイストネマチックモード、およびハイブリッド配向ネマチックモードのうち１つのモードにおいて動作するように構成されていることを特徴とする、請求項３に記載のディスプレイ。
【請求項５】
前記液晶層のそれぞれは、双安定であることを特徴とする、請求項２から請求項４のいずれか一項に記載のディスプレイ。
【請求項６】
前記液晶層のそれぞれは、双安定ツイストネマチック層またはｚｅｎｉｔｈａｌ双安定ネマチック層であることを特徴とする、請求項５に記載のディスプレイ。
【請求項７】
前記第１の液晶装置は、同一モードにおいて動作するように構成された複数の液晶層を備えることを特徴とする、請求項２から請求項６のいずれか一項に記載のディスプレイ。
【請求項８】
第１および第２の線形偏光板の間に配置された、反対ツイスト方向の第１および第２のツイストネマチック液晶層を備えることを特徴とする、請求項７に記載のディスプレイ。
【請求項９】
第２および第３の線形偏光板の間に配置された、反対ツイスト方向の第３および第４のツイストネマチック液晶層を備えることを特徴とする、請求項８に記載のディスプレイ。
【請求項１０】
第１、第２および第３の線形偏光板と第１および第２の垂直配向ネマチック液晶層とを備え、該第１の層は該第１および第２の偏光板との間に配置され、該第２の偏光板は該第１および第３の偏光板の偏光方向に垂直な偏光方向を有し、前記第１および第２の状態は、それぞれ、ｐｉｎｗｈｅｅｌ状態と実質的に均一な非ツイスト状態とであることを特徴とする、請求項７に記載のディスプレイ。
【請求項１１】
前記少なくとも１つの液晶層は、第１および第２の偏光板との間に配置された垂直配向ネマチック液晶層を備え、該垂直配向ネマチック液晶層は、スイッチングされるとき、該第１および第２の偏光板の透過軸に実質的に平行または垂直であるアジマスを有する液晶配向ベクトル方向を有することを特徴とする、請求項４に記載のディスプレイ。
【請求項１２】
前記少なくとも１つの液晶層は、第１および第２の偏光板の間に配置された非ツイストネマチック層を備え、該非ツイストネマチック層は、該第１および第２の偏光板の透過軸に実質的に平行であるアジマスを有する配向方向を有することを特徴とする、請求項２に記載のディスプレイ。
【請求項１３】
前記第１の液晶装置は、固定Ｃプレートリターダーを備え、少なくとも１つの前記液晶層は、該固定プレートリターダーの光学効果が実質的に無効にされる第１の状態と、第２の異なる状態との間で切替えが可能である、切替え可能Ｃプレートリターダーを備えることを特徴とする、請求項２に記載のディスプレイ。
【請求項１４】
前記切替え可能Ｃプレートリターダーは、前記第２の状態に光学効果を実質的に有さないことを特徴とする、請求項１３に記載のディスプレイ。
【請求項１５】
前記固定リターダーは、ポジティブＣプレートリターダーであることを特徴とする、請求項１３または請求項１４に記載のディスプレイ。
【請求項１６】
前記少なくとも１つの液晶層は、コレステリック液晶層であることを特徴とする、請求項１３から請求項１５のいずれか一項に記載のディスプレイ。
【請求項１７】
前記第１の液晶装置は、前記液晶分子が前記第２の状態にあるときに、実質的に前記第１の視野角範囲部分に伝播する全ての光を遮断するように構成されていることを特徴とする、請求項１から請求項１６のいずれか一項に記載のディスプレイ。
【請求項１８】
前記液晶装置は、少なくとも１つの電極を備え、該少なくとも１つの電極のそれぞれは、均一であり、およびパターン化されていないことを特徴とする、請求項１７に記載のディスプレイ。
【請求項１９】
前記第１の液晶装置は、前記液晶分子が前記第２の状態にあるときに、前記第１の視野角範囲部分に伝播する光の上に、空間的に変化する振幅を重ねることにより、前記ディスプレイ装置から表示される画像を実質的に不鮮明にする曖昧なパターンとなるように構成されていることを特徴とする、請求項１から請求項１６のいずれか一項に記載のディスプレイ。
【請求項２０】
前記第１の液晶装置は、少なくとも１つの電極を備え、該少なくとも１つの電極は、第１のパターンにパターン化されていることを特徴とする、請求項１９に記載のディスプレイ。
【請求項２１】
前記少なくとも１つの電極は、前記少なくとも１つの液晶層の第１および第２の領域を規定するようにパターン化されており、該第１および第２の領域は、それぞれ前記分子が前記第２の状態にあるときに前記第１の視野角範囲の部分に移動する光の第１および第２の減衰を提供することを特徴とする、請求項２０に記載のディスプレイ。
【請求項２２】
前記第１および第２の減衰は、それぞれ、最小および最大の減衰であることを特徴とする、請求項２１に記載のディスプレイ。
【請求項２３】
前記第２の領域は非アクティブであり、最小絶縁ギャップによって前記第１の領域から分離されていることを特徴とする、請求項２１または請求項２２に記載のディスプレイ。
【請求項２４】
前記第１のパターンは、テキストを表すパターンであることを特徴とする、請求項２１から請求項２３のいずれか一項に記載のディスプレイ。
【請求項２５】
前記第１のパターンは、チェッカーボードパターンであることを特徴する、請求項２１から請求項２３のいずれか一項に記載のディスプレイ。
【請求項２６】
前記第１のパターンは、光学的錯覚を形成するパターンであることを特徴とする、請求項２１から請求項２３のいずれか一項に記載のディスプレイ。
【請求項２７】
前記第１の液晶装置は、前記第１のパターンとは異なる第２のパターンにパターン化されるさらなる電極を備えることを特徴とする、請求項２０から請求項２６のいずれか一項に記載のディスプレイ。
【請求項２８】
前記第１および第２のパターンは、異なる特徴寸法を有することを特徴とする、請求項２７に記載のディスプレイ。
【請求項２９】
前記少なくとも１つの電極は、前記不明瞭パターンの選択を許可するアドレシング可能なマトリクスを備えることを特徴とする、請求項２０に記載のディスプレイ。
【請求項３０】
時間とともに変化する曖昧なパターンを作製する電極駆動構造を備えることを特徴とする、請求項２９に記載のディスプレイ。
【請求項３１】
前記電極は、前記少なくとも１つの前記液晶層の中央からエッジまで変化する電圧を、該少なくとも１つの該液晶層に印加することにより、該エッジの法線外の視野効果を補償するように構成されていることを特徴とする、請求項１８から請求項３０のいずれか一項に記載のディスプレイ。
【請求項３２】
前記分子が前記第２の状態にあるとき、前記第１および第２の領域は、実質的に、前記第２の視野角範囲内の角度については、前記ディスプレイへの法線に関する角度に対する透過の同一機能を有し、前記第１の視野角範囲内および第２の視野角範囲の外にある角度については、異なる機能を有することを特徴とする、請求項２１から請求項２６のいずれか一項に記載のディスプレイ。
【請求項３３】
前記分子が前記第２の状態にあるとき、前記第１および第２の領域を定義する前記電極は、異なる電圧を受け取るように構成されていることを特徴とする、請求項３２に記載のディスプレイ。
【請求項３４】
前記同一機能を提供するために、前記少なくとも１つの前記液晶層と協働する補償層を有することを特徴とする、請求項３２または請求項３３に記載のディスプレイ。
【請求項３５】
前記補償層は、前記分子が前記第１の状態にあるときに実質的に無効であるように構成されていることを特徴とする、請求項３４に記載のディスプレイ。
【請求項３６】
前記補償層は、液晶を備えることを特徴とする、請求項３５に記載のディスプレイ。
【請求項３７】
前記少なくとも１つの液晶層は、表面モード層を備え、前記補償層は該表面モード層の表面領域を備えることを特徴とする、請求項３６に記載のディスプレイ。
【請求項３８】
画像ディスプレイを提供するように制御可能であるディスプレイ装置と、少なくとも１つの液晶層を有する第１の液晶装置とを備えたディスプレイであって、
該液晶層の分子は第１の視野角範囲を提供する第１の状態と、第１の視野角範囲内にあり、かつ、第１の視野角範囲よりも狭い視野角範囲である第２の視野角範囲を提供する第２の状態との間で切替え可能であり、該第１の液晶装置は、該液晶分子が該第２の状態にあるとき、該第２の視野角範囲外の該第１の視野角範囲部分に伝播する光を部分的に遮断するように構成されており、該少なくとも１つの液晶層は、異なる配向方向の第１および第２の領域を有する少なくとも１つのパターン化された配向表面と接触しており、
該少なくとも１つの該液晶層は、電子的に制御された複屈折セルと垂直配向ネマチック液晶層とのうちの１つを備えることを特徴とする、ディスプレイ。
【請求項３９】
前記配向方向は、互いに実質的に垂直であり、前記第１の視野角範囲の一部は、前記ディスプレイの法線周辺のアジマスに、実質的に等角に間隔をあけられることを特徴とする、請求項３８に記載のディスプレイ。
【請求項４０】
前記第１の液晶装置は、前記ディスプレイ装置に対して脱着可能であることにより、該第１の液晶装置を用いることなく、前記ディスプレイの機能を可能にすることを特徴とする、請求項１から請求項３９のいずれか一項に記載のディスプレイ。
【請求項４１】
前記第２の視野角範囲は、前記ディスプレイに対する法線を含むことを特徴とする、請求項１から請求項４０のいずれか一項に記載のディスプレイ。
【請求項４２】
前記第２の視野角範囲は、前記ディスプレイに垂直ではない二等分線を有することを特徴とする、請求項１から請求項４１のいずれか一項に記載のディスプレイ。
【請求項４３】
前記第２の視野角範囲は、前記ディスプレイに対して異なる天頂角で配置される第１および第２のサブ範囲を備えることを特徴とする、請求項１から請求項４２のいずれか一項に記載のディスプレイ。
【請求項４４】
前記第２の視野角範囲は、実質的に回転対称であることを特徴とする、請求項１から請求項４２のいずれか一項に記載のディスプレイ。
【請求項４５】
前記分子が前記第２の状態にあるとき、指示を表示するように構成されていることを特徴とする、請求項１から請求項４４のいずれか一項に記載のディスプレイ。
【請求項４６】
表示するデータの内容に対応して前記指示を表示するよう構成されていることを特徴とする、請求項４５に記載のディスプレイ。
【請求項４７】
前記ディスプレイ装置は、透過型であることを特徴とする請求項１から請求項４６のいずれか一項に記載のディスプレイ。
【請求項４８】
前記第１の液晶装置は、前記ディスプレイ装置とバックライトとの間に配置されることを特徴とする、請求項４７に記載のディスプレイ。
【請求項４９】
前記ディスプレイ装置は反射型であることを特徴とする、請求項１から請求項４６のいずれか一項に記載のディスプレイ。
【請求項５０】
前記ディスプレイ装置は半透過型であることを特徴とする、請求項１から請求項４６のいずれか一項に記載のディスプレイ。
【請求項５１】
前記ディスプレイ装置は第２の液晶装置を備えることを特徴とする、請求項４７から請求項５０のいずれか一項に記載のディスプレイ。
【請求項５２】
前記ディスプレイ装置は発光型であることを特徴とする、請求項１から請求項４６のいずれか一項に記載のディスプレイ。
【請求項５３】
前記ディスプレイ装置は有機発光装置であることを特徴とする、請求項５２に記載のディスプレイ。
【請求項５４】
前記ディスプレイ装置と前記第１の液晶装置との間に円偏光板を備えることを特徴とする、請求項５２または請求項５３に記載のディスプレイ。
【請求項５５】
前記ディスプレイ装置は、直線偏光された光を放出するように構成されていることを特徴とする、請求項５２または請求項５３に記載のディスプレイ。
【請求項５６】
前記第１の液晶装置は、前記ディスプレイ装置の前面に配置されていることを特徴とする、請求項１から請求項４７および請求項４９から請求項５３のいずれか一項に記載のディスプレイ。
【請求項５７】
周囲光が閾値を下回るとき、前記ディスプレイに前記第２の視野角範囲を提供させる周囲光センサを備えることを特徴とする、請求項１から請求項５６のいずれか一項に記載のディスプレイ。
【請求項５８】
車両ディスプレイを備えることを特徴とする、請求項１から請求項５７のいずれか一項に記載のディスプレイ。